(57)【要約】【課題】ろ過量が増大しても、ろ過効率をほぼ一定に保持し得る遠心ろ過装置の提供。【解決手段】ろ過槽１内に配設され、被処理液が導入される中空の回転軸２と、回転軸内と連通し、かつ、回転軸の外周に垂直に突設されると共に、少なくとも回転方向の前後の部材がろ材３ｂで形成されている複数の遠心ろ過容器３とを備える。【選択図】　　　　図１
2004049982.tif 000002
【特許請求の範囲】
【請求項１】
ろ過槽内に配設され、被処理液が導入される中空の回転軸と、回転軸内と連通し、かつ、回転軸の外周に垂直に突設されると共に、少くとも回転方向の前後の部分がろ材で形成されている複数の遠心ろ過容器とを備えることを特徴とする遠心ろ過装置。
【請求項２】
前記各遠心ろ過容器が、固体成分を収容する固体成分収容部を先端部に有することを特徴とする請求項１記載の遠心ろ過装置。
【請求項３】
前記固体成分収容部が、着脱可能であることを特徴とする請求項２記載の遠心ろ過装置。
【請求項４】
前記ろ材が、セラミックフィルター、有機膜フィルター又は金属フィルターであることを特徴とする請求項１、２又は３記載の遠心ろ過装置。
【発明の詳細な説明】
【０００１】
【発明の属する技術分野】
本発明は、固液分離に用いられる遠心ろ過装置に係り、特に、固液を連続的に遠心分離する遠心ろ過装置に関する。
【０００２】
【従来の技術】
従来、この種の遠心ろ過装置としては、図４に示すように、円筒状のろ過槽３１内の中心部に配設した回転軸３２と、回転軸３２に軸心部を支持されると共に、周面部がろ材で形成されている円筒状の遠心ろ過容器３３とを備えたものが知られている。
この遠心ろ過装置は、回転軸３２と共に回転する遠心ろ過容器３３に被処理液を連続的に供給することにより、被処理液中の固体成分が遠心ろ過容器３３における周面部のろ材によってろ別され、ろ過液がろ過槽３１を経て機外へ排出されるものである。
【０００３】
【発明が解決しようとする課題】
しかし、従来の遠心ろ過装置は、遠心力の作用する方向に対して直角にろ材が配置されているため、ケーク層３４がろ過量の増大に伴って増大し、ろ過効率が低下する不具合がある。
【０００４】
そこで、本発明は、ろ過量が増大しても、ろ過効率をほぼ一定に保持し得る遠心ろ過装置を提供することを課題とする。
【０００５】
【課題を解決するための手段】
前記課題を解決するため、本発明の第１の遠心ろ過装置は、ろ過槽内に配設され、被処理液が導入される中空の回転軸と、回転軸内と連通し、かつ、回転軸の外周に垂直に突設されると共に、少なくとも回転方向の前後の部分がろ材で形成されている複数の遠心ろ過容器とを備えることを特徴とする。
【０００６】
又、第２の遠心ろ過装置は、第１のものにおいて、前記各遠心ろ過容器が、固体成分を収容する固体成分収容部を先端部に有することを特徴とする。
【０００７】
一方、前記固体成分収容部は、着脱可能であることが好ましい。
又、前記ろ材は、セラミックフィルター、有機膜フィルター又は金属フィルターであることが好ましい。
【０００８】
【作用】
本発明の第１の遠心ろ過装置においては、ろ材によってろ別された固体成分が、遠心力によって遠心ろ過容器の先端部へ移動される。
【０００９】
又、第２の遠心ろ過装置において、第１のものによる作用の他、先端部へ移動された固体成分が、固体成分収容部に収容される。
【００１０】
一方、固体成分収容部が、着脱可能であることにより、固体成分収容部の機外への排出が可能となる。
【００１１】
【発明の実施の形態】
以下、本発明の実施の形態について図面を参照して説明する。
図１、図２はそれぞれ本発明に係る遠心ろ過装置の第１の実施の形態を示す概略平断面図、要部の平断面図である。
【００１２】
図中１は上下方向の円筒状を呈するろ過槽で、このろ過槽１内の中心部には、回転駆動装置を介して回転駆動されると共に、被処理液供給源からスイベルジョイント等を介して被処理液（いずれも図示せず）が上端から導入される有底円筒状を呈する中空の回転軸２が配設されている。
回転軸２の外周には、有底円筒状の複数の遠心ろ過容器３が、それぞれの開口端を回転軸２内と連通させ、放射状をなして垂直に突設されている。
各遠心ろ過容器３は、回転軸２内と連通させてその外周に垂直に突設した円筒状の本体部３ａと、本体部３ａ内に内挿した円筒状のセラミックスフィルターからなるろ材３ｂと、本体部３ａの先端部に着脱可能に設けられ、ろ別された固体成分を収容する中空半球状の固体成分収容部３ｃとからなり、ろ材３ｂと対応する本体部３ａには、ろ別されたろ過液を通す多数の透孔（図示せず）が設けられているものである。
【００１３】
上述した遠心ろ過装置を用いて被処理液を連続的に遠心分離するには、回転軸２を回転駆動して各遠心ろ過容器３を回転軸２と一緒に回転すると共に、回転軸２内にその上端から被処理液を連続的に導入すると、被処理液は、それぞれの遠心ろ過容器３に流入し、ろ材３ｂによってろ別され、ろ過液は本体部３ａの透孔を経てろ過槽１に至り、そのろ過液排出口（図示せず）から機外へ排出される一方、固体成分が遠心力により遠心ろ過容器３の先端部へ移動し、その固体成分収容部３ｃに収容される。
そして、各遠心ろ過容器３の固体成分収容部３ｃ内が固体成分で一杯になった際に、回転軸２の駆動及び被処理液の導入を停止し、それぞれの固体成分収容部３ｃを取り外して固体成分を取り除いた後、本体部３ａに装着し、しかる後に運転を再開する。
【００１４】
したがって、上記構成の遠心ろ過装置によれば、ろ材３ｂにろ別された固体成分が、従来のように、ろ材の表面に堆積することがなく、遠心力によって遠心ろ過容器３の先端部へ移動されるので、ろ材３ｂのろ過性能をほぼ一定に保持することができ、ろ過量が増大してもろ過効率をほぼ一定に保持することができる。又、先端部へ移動された固体成分が、固体成分収容部３ｃに収容されるので、ろ材３ｂのろ過性能を常に一定に保持することができる。
更に、固体成分収容部３ｃが、着脱可能であることにより、固体成分収容部３ｃの機外への排出が可能となるので、固体成分の機外への排出を容易に行うことができる。
【００１５】
図３は本発明に係る遠心ろ過装置の第２の実施の形態を示す要部の概略斜視図である。
この遠心ろ過装置は、前述した第１の実施の形態のものが、回転軸２の外周に垂直に突設した遠心ろ過容器３を有底円筒状としたのに対し、遠心ろ過容器４を一側を開口した偏平な箱形状とし、回転軸２の外周に、複数の遠心ろ過容器４をそれぞれの開口部を回転軸２内と連通させ、放射状をなして垂直に突設したものであり、各遠心ろ過容器４は、対向する両側を開口した偏平な箱形状若しくは偏平な角筒状を呈し、一側の開口部を介し回転軸２内と連通させてその外周に垂直に突設した本体部４ａと、本体部４ａの回転方向の前後の部分に設けられた方形の開口部に嵌着したセラミックフィルターからなるろ材４ｂと、本体部４ａの先端部となる他側に着脱可能に設けられ、ろ別された固体成分を収容する固体成分収容部４ｃとからなるものである。
他の構成及び作用効果は、前述した第１の実施の形態のものとほぼ同様であるので、同一の構成部材等には同一の符号を付してその説明を省略する。
【００１６】
なお、上述した両実施の形態においては、ろ過槽１及び回転軸２を上下方向の配置とする場合について説明したが、これに限定されるものではなく、ろ過槽１及び回転軸２を水平又は傾斜配置としてもよい。
又、ろ材３ｂ，４ｂは、セラミックスフィルターに限らず、有機膜フィルター、金属フィルター、その他のフィルターであってもよい。
更に、遠心ろ過容器３，４は、先端部に固体成分収容部３ｃ，４ｃが無いものであってもよい。
更に又、遠心ろ過容器３，４の固体成分収容部３ｃ，４ｃは、本体部３ａ，４ａと一体のものであってもよい。
【００１７】
【発明の効果】
以上説明したように、本発明の第１の遠心ろ過装置によれば、ろ材によってろ別された固体成分が、従来のように、ろ材の表面に堆積することなく、遠心力によって遠心ろ過容器の先端部へ移動されるので、ろ材のろ過性能をほぼ一定に保持することができ、ろ過量が増大しても、ろ過効率をほぼ一定に保持することができる。
【００１８】
又、第２の遠心ろ過装置によれば、第１のものによる作用効果の他、先端部へ移動された固体成分が、固体成分収容部に収容に収容されるので、ろ材のろ過性能を常に一定に保持することができる。
【００１９】
一方、固体成分収容部が、着脱可能であることにより、固体成分収容部の機外への排出が可能となるので、固体成分の機外への排出を容易に行うことができる。
【図面の簡単な説明】
【図１】本発明に係る遠心ろ過装置の第１の実施の形態を示す概略平断面図である。
【図２】図１の遠心ろ過装置の要部の平断面図である。
【図３】本発明に係る遠心ろ過装置の第２の実施の形態を示す要部の概略斜視図である。
【図４】従来の遠心ろ過装置を示す概略平断面図である。
【符号の説明】
１　ろ過槽
２　回転軸
３　遠心ろ過容器
３ａ　本体部
３ｂ　ろ材
３ｃ　固体成分収容部
４　遠心ろ過容器
４ａ　本体部
４ｂ　ろ材
４ｃ　固体成分収容部
【図１】
2004049982.tif 000003
【図２】
2004049982.tif 000004
【図３】
2004049982.tif 000005
【図４】
2004049982.tif 000006